(57)【要約】【課題】  廃棄物処理作業において、個々の廃棄物が確実に処理されたことを廃棄物排出事業者や処理業者に明確に示すことが要求される。【解決手段】  廃棄物が収納された廃棄物収納容器に個々の廃棄物に関する管理データが書き込まれているＩＣタグが装着され、この廃棄物収納容器が、廃棄物処理装置に投入される時に、リーダライタがＩＣタグから管理データを受信して、制御手段に送信し、制御手段は、この管理データを受信すると、撮影開始指示信号を撮影手段に出力する。撮影手段は、撮影開始指示信号を受信して、この廃棄物収納容器が処分される様子の撮影を開始し、撮影された映像は、映像送信手段によって、排出事業者や処理業者のコンピュータ等に送信される。【選択図】      図２
2006344120.tif 000002
【特許請求の範囲】
【請求項１】
廃棄物が収納された廃棄物収納容器に装着され、該収納容器に収納された廃棄物に関する管理データを有するＩＣタグと、
廃棄物処理装置を備える廃棄物処理施設内に設置され、該ＩＣタグから送信された前記管理データを受信して該管理データを送信するリーダライタと、
前記リーダライタから送信された前記管理データを受信すると、前記ＩＣタグが装着された前記廃棄物収納容器に対する撮影を開始することを指示する撮影開始指示信号を出力する制御手段と、
前記制御手段から、前記撮影開始指示信号を受信して、前記ＩＣタグが装着された前記廃棄物収納容器に対する撮影を開始し、前記ＩＣタグが装着された前記廃棄物収納容器が前記廃棄物処理装置に投入される様子を撮影し、該撮影した映像を出力する撮影手段と、
該撮影手段から、該撮影手段が撮影した映像を受信し、該映像をコンピュータおよび／または携帯電話へ送信する映像送信手段と
を有する廃棄物管理システム。
【請求項２】
前記リーダライタは、前記廃棄物処理装置の近傍に設置されている、請求項１に記載の廃棄物管理システム。
【請求項３】
前記リーダライタから前記管理データを受信し、該管理データと、該管理データを受信した時刻とを、前記コンピュータおよび／または前記携帯電話へ送信する映像管理情報送信手段を有する請求項１または２に記載の廃棄物管理システム。
【請求項４】
前記廃棄物収納容器が廃棄物処理装置を備える廃棄物処理施設内に搬入された時に、前記ＩＣタグから送信された前記管理データを受信して該管理データを送信する搬入情報用リーダライタと、
該搬入情報用リーダライタから該管理データを受信して、該管理データと、該管理データを受信した時刻とを、コンピュータおよび／または携帯電話に送信する搬入情報送信手段と、
搬入された前記廃棄物収納容器が、前記廃棄物処理施設内で受け付けられた時に、前記ＩＣタグから送信された前記管理データを受信して該管理データを送信する受付情報用リーダライタと、
該受付情報用リーダライタから該管理データを受信して、該管理データと、該管理データを受信した時刻とを、コンピュータおよび／または携帯電話に送信する受付情報送信手段と、
受け付けられた前記廃棄物収納容器が前記廃棄物処理施設内の保管場所に保管された時に、前記ＩＣタグから送信された前記管理データを受信して該管理データを送信する保管情報用リーダライタと、
該保管情報用リーダライタから該管理データを受信して、該管理データと、該管理データを受信した時刻とを、コンピュータおよび／または携帯電話に送信する保管情報送信手段と、
保管された前記廃棄物収納容器を前記廃棄物処理装置の近傍に移動した時に、前記ＩＣタグから送信された前記管理データを受信して該管理データを送信する移動情報用リーダライタと、
該移動情報用リーダライタから該管理データを受信して、該管理データと、該管理データを受信した時刻とを、コンピュータおよび／または携帯電話に送信する移動情報送信手段と、
移動された前記廃棄物収納容器を前記処理装置に投入する時に、前記ＩＣタグから送信された前記管理データを受信して該管理データを送信する投入情報用リーダライタと、
該投入情報用リーダライタから該管理データを受信して、該管理データと、該管理データを受信した時刻とを、コンピュータおよび／または携帯電話に送信する投入情報送信手段と
を有する請求項１〜３のいずれかに記載の廃棄物管理システム。
【請求項５】
廃棄物が収納され前記ＩＣタグが装着された廃棄物収納容器が、輸送業者に引き渡された時に、前記ＩＣタグから送信された前記管理データを受信して該管理データを送信する輸送業者引渡し情報用リーダライタと、
該輸送業者引渡し情報用リーダライタから該管理データを受信して、該管理データと、該管理データを受信した時刻とを、コンピュータおよび／または携帯電話に送信する引渡し情報送信手段と
を有する請求項４に記載の廃棄物管理システム。
【請求項６】
前記引渡し情報送信手段は、受信した前記管理データと、該管理データが受信された時刻とを、輸送業者の車に設けられた通信設備を用いて前記コンピュータおよび／または前記携帯電話に送信する手段である、請求項５に記載の廃棄物管理システム。
【請求項７】
前記撮影手段が、テレビカメラである、請求項１〜６のいずれかに記載の廃棄物管理システム。
【請求項８】
前記管理データには、
前記廃棄物収納容器に収納された廃棄物の処理を依頼した顧客名と、
前記各送信手段によって受信された前記各管理データと該各管理データが受信された前記時刻と前記撮影手段によって撮影された映像とが送信される、送信先のメールアドレスと
が含まれる請求項３〜７のいずれかに記載の廃棄物管理システム。
【請求項９】
前記各コンピュータは、廃棄物処理施設内の管理部署のコンピュータであり、
該コンピュータが受信した前記各管理データと、該各管理データが受信された前記時刻と、前記撮影手段によって撮影された映像とを、処理業者の本社管理部署のコンピュータと、前記廃棄物収納容器に収納された廃棄物の処理を依頼した顧客のコンピュータおよび／または携帯電話と、該顧客の担当者のコンピュータおよび／または携帯電話とに、それぞれ自動転送する転送手段とを有する請求項３〜８のいずれかに記載の廃棄物管理システム。
【請求項１０】
前記廃棄物処理施設がセメント工場であり、前記廃棄物処理装置がセメントキルンである、請求項１〜９のいずれかに記載の廃棄物管理システム。
【請求項１１】
廃棄物が収納された廃棄物収納容器に装着されたＩＣタグであって、該収納容器に収納された廃棄物に関する管理データを有するＩＣタグから送信された該管理データを、廃棄物処理装置を備える廃棄物処理施設内に設置されたリーダライタが受信して該管理データを送信するステップと、
制御手段が、前記リーダライタから送信された前記管理データを受信すると、前記ＩＣタグが装着された前記廃棄物収納容器に対する撮影を開始することを指示する撮影開始指示信号を出力するステップと、
撮影手段が、前記制御手段から、前記撮影開始指示信号を受信して、前記ＩＣタグが装着された前記廃棄物収納容器に対する撮影を開始し、前記ＩＣタグが装着された前記廃棄物収納容器が前記廃棄物処理装置に投入される様子を撮影して、該撮影した映像を出力するステップと、
該撮影手段から、該撮影手段が撮影した映像を受信し、該映像をコンピュータおよび／または携帯電話へ送信する映像送信ステップと
を含む廃棄物管理方法。
【請求項１２】
前記リーダライタは、前記廃棄物処理装置の近傍に設置されている、請求項１１に記載の廃棄物管理方法。
【請求項１３】
前記リーダライタから前記管理データを受信し、該管理データと、該管理データを受信した時刻とを、前記コンピュータおよび／または前記携帯電話へ送信する映像管理情報送信ステップを含む請求項１１または１２に記載の廃棄物管理方法。
【請求項１４】
搬入情報用リーダライタが、前記廃棄物収納容器が廃棄物処理装置を備える廃棄物処理施設内に搬入された時に、前記ＩＣタグから送信された前記管理データを受信して該管理データを送信するステップと、
搬入情報送信手段が、該搬入情報用リーダライタから該管理データを受信して、該管理データと、該管理データを受信した時刻とを、コンピュータおよび／または携帯電話に送信する搬入情報送信ステップと、
受付情報用リーダライタが、搬入された前記廃棄物収納容器が、前記廃棄物処理施設内で受け付けられた時に、前記ＩＣタグから送信された前記管理データを受信して該管理データを送信するステップと、
受付情報送信手段が、該受付情報用リーダライタから該管理データを受信して、該管理データと、該管理データを受信した時刻とを、コンピュータおよび／または携帯電話に送信する受付情報送信ステップと、
保管情報用リーダライタが、受け付けられた前記廃棄物収納容器が前記廃棄物処理施設内の保管場所に保管された時に、前記ＩＣタグから送信された前記管理データを受信して該管理データを送信するステップと、
保管情報送信手段が、該保管情報用リーダライタから該管理データを受信して、該管理データと、該管理データを受信した時刻とを、コンピュータおよび／または携帯電話に送信する保管情報送信ステップと、
移動情報用リーダライタが、保管された前記廃棄物収納容器を前記廃棄物処理装置の近傍に移動した時に、前記ＩＣタグから送信された前記管理データを受信して該管理データを送信するステップと、
移動情報送信手段が、該移動情報用リーダライタから該管理データを受信して、該管理データと、該管理データを受信した時刻とを、コンピュータおよび／または携帯電話に送信する移動情報送信ステップと、
投入情報用リーダライタが、移動された前記廃棄物収納容器を前記処理装置に投入する時に、前記ＩＣタグから送信された前記管理データを受信して該管理データを送信するステップと、
投入情報送信手段が、該投入情報用リーダライタから該管理データを受信して、該管理データと、該管理データを受信した時刻とを、コンピュータおよび／または携帯電話に送信する投入情報送信ステップと
を含む請求項１１〜１３のいずれかに記載の廃棄物管理方法。
【請求項１５】
輸送業者引渡し情報用リーダライタが、廃棄物が収納され前記ＩＣタグが装着された廃棄物収納容器が、輸送業者に引き渡された時に、前記ＩＣタグから送信された前記管理データを受信して該管理データを送信するステップと、
引渡し情報送信手段が、該輸送業者引渡し情報用リーダライタから該管理データを受信して、該管理データと、該管理データを受信した時刻とを、コンピュータおよび／または携帯電話に送信する引渡し情報送信ステップと
を含む請求項１４に記載の廃棄物管理方法。
【請求項１６】
前記引渡し情報送信ステップは、受信した前記管理データと、該管理データが受信された時刻とを、輸送業者の車に設けられた通信設備を用いて前記コンピュータおよび／または前記携帯電話に送信するステップである、請求項１５に記載の廃棄物管理方法。
【請求項１７】
前記撮影手段が、テレビカメラである、請求項１１〜１６のいずれかに記載の廃棄物管理方法。
【請求項１８】
前記管理データには、
前記廃棄物収納容器に収納された廃棄物の処理を依頼した顧客名と、
前記各送信手段によって受信された前記各管理データと該各管理データが受信された前記時刻と前記撮影手段によって撮影された映像とが送信される、送信先のメールアドレスと
が含まれる請求項１３〜１７のいずれかに記載の廃棄物管理方法。
【請求項１９】
前記各コンピュータは、廃棄物処理施設内の管理部署のコンピュータであり、
該コンピュータが受信した前記各管理データと、該各管理データが受信された前記時刻と、前記撮影手段によって撮影された映像とを、処理業者の本社管理部署のコンピュータと、前記廃棄物収納容器に収納された廃棄物の処理を依頼した顧客のコンピュータおよび／または携帯電話と、該顧客の担当者のコンピュータおよび／または携帯電話とに、転送手段が、それぞれ自動転送する転送ステップとを有する請求項１３〜１８のいずれかに記載の廃棄物管理方法。
【請求項２０】
前記廃棄物処理施設がセメント工場であり、前記廃棄物処理装置がセメントキルンである、請求項１１〜１９のいずれかに記載の廃棄物管理方法。
【発明の詳細な説明】
【技術分野】
【０００１】
本発明は、廃棄物管理システムおよび方法に関するものである。
【背景技術】
【０００２】
従来、産業廃棄物等をはじめとする種々の廃棄物を処理する場合には、排出事業者が処理業者の担当者あてに、電話やＦＡＸ等により排出事業者名、廃棄物の内容、数量、及び廃棄物の成分分析値等を伝えて処理作業を申し込み、更には、処理費用等の交渉をするために各担当者同士が互いに何回も足を運んでいる。
【０００３】
産業廃棄物は、各種産業の事業所から排出された不要となったごみであり、一般に、燃え殻、汚泥、廃油、廃酸、廃アルカリ、廃プラスチック、紙屑、木屑、繊維屑、ゴム屑、金属屑、ガラス片、鉱滓、がれき類、家畜糞尿、家畜の死体、煤塵等の多数の種類に分類されている。産業廃棄物を排出する事業者（排出事業者）から排出された上記産業廃棄物は、自治体（都道府県あるいは政令市）により許可された収集運搬業者によって許可された最終処分場へ運搬され最終処分されるようになっている。
【０００４】
最近では、産業廃棄物等をはじめとする種々の廃棄物管理システムとして、各廃棄物に識別データを有した識別体を付与し、この識別体から識別データを読み出して、収集運搬業者及び処理業者へ通知するシステムが考え出されている。識別体としては、バーコード化された符号が記載されているシール、ＱＲコード化された符号が記載されているシール、ＩＣチップ等が使用されている。（例えば、特許文献１参照）
【０００５】
しかしながら、バーコード化された符号が記載されているシールでは、シールの破損や汚れによってデータが読み取れなくなる可能性があり、ＱＲコード化された符号が記載されているシールでは情報の書き換えが出来ない等の問題がある。また、これらのシールからの情報の読み取り作業は、一般に人手を介してデータを読み出す必要があるため、その分の時間や労力が要求される。また、特許文献１に開示されているＩＣチップは、商品の製造段階で商品に取り付けられることが想定されており、廃棄物の種類が限られる等の問題がある。更に、これらすべての識別体から読み出される情報は、排出事業者名、廃棄物の内容、数量、廃棄物の成分分析値等、識別データ等であり、その廃棄物が確実に処理されたかどうかを示すデータ等は含まれていない。したがって、このようなシステムにおいては、上記識別体の問題点と併せて、廃棄物が確実に処理されたかどうかが、その廃棄物の排出事業者や処理業者の担当者等に明確に示されないという問題点がある。
【特許文献１】特開２００３−１６２６１０号公報
【発明の開示】
【発明が解決しようとする課題】
【０００６】
本発明は、上記問題点に鑑み、従来の廃棄物管理システムよりも、個々の廃棄物の追跡管理に必要とされる時間や労力が削減されるシステムであって、個々の廃棄物が確実に処理されたかどうかを、個々の廃棄物の排出事業者や処理業者の担当者等に明確に示すことができる廃棄物管理システムを提供することを目的とする。
【課題を解決するための手段】
【０００７】
上記課題を解決するために、本発明に係る廃棄物管理システムおよび方法は、以下のような特徴を有する廃棄物管理システムおよび方法として提供される。
【０００８】
（１）  廃棄物が収納された廃棄物収納容器に装着され、該収納容器に収納された廃棄物に関する管理データを有するＩＣタグと、廃棄物処理装置を備える廃棄物処理施設内に設置され、該ＩＣタグから送信された前記管理データを受信して該管理データを送信するリーダライタと、前記リーダライタから送信された前記管理データを受信すると、前記ＩＣタグが装着された前記廃棄物収納容器に対する撮影を開始することを指示する撮影開始指示信号を出力する制御手段と、前記制御手段から、前記撮影開始指示信号を受信して、前記ＩＣタグが装着された前記廃棄物収納容器に対する撮影を開始し、前記ＩＣタグが装着された前記廃棄物収納容器が前記廃棄物処理装置に投入される様子を撮影し、該撮影した映像を出力する撮影手段と、該撮影手段から、該撮影手段が撮影した映像を受信し、該映像をコンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）へ送信する映像送信手段とを有する廃棄物管理システム。
（２）  前記リーダライタは、前記廃棄物処理装置の近傍に設置されている、（１）に記載の廃棄物管理システム。
（３）  前記リーダライタから前記管理データを受信し、該管理データと、該管理データを受信した時刻とを、前記コンピュータおよび／または前記携帯電話へ送信する映像管理情報送信手段を有する（１）または（２）に記載の廃棄物管理システム。
（４）  前記廃棄物収納容器が廃棄物処理装置を備える廃棄物処理施設内に搬入された時に、前記ＩＣタグから送信された前記管理データを受信して該管理データを送信する搬入情報用リーダライタと、該搬入情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する搬入情報送信手段と、搬入された前記廃棄物収納容器が、前記廃棄物処理施設内で受け付けられた時に、前記ＩＣタグから送信された前記管理データを受信して該管理データを送信する受付情報用リーダライタと、該受付情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する受付情報送信手段と、受け付けられた前記廃棄物収納容器が前記廃棄物処理施設内の保管場所に保管された時に、前記ＩＣタグから送信された前記管理データを受信して該管理データを送信する保管情報用リーダライタと、該保管情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する保管情報送信手段と、保管された前記廃棄物収納容器を前記廃棄物処理装置の近傍に移動した時に、前記ＩＣタグから送信された前記管理データを受信して該管理データを送信する移動情報用リーダライタと、該移動情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する移動情報送信手段と、移動された前記廃棄物収納容器を前記処理装置に投入する時に、前記ＩＣタグから送信された前記管理データを受信して該管理データを送信する投入情報用リーダライタと、該投入情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する投入情報送信手段とを有する（１）〜（３）のいずれかに記載の廃棄物管理システム。
（５）  廃棄物が収納され前記ＩＣタグが装着された廃棄物収納容器が、輸送業者に引き渡された時に、前記ＩＣタグから送信された前記管理データを受信して該管理データを送信する輸送業者引渡し情報用リーダライタと、該輸送業者引渡し情報用リーダライタから該管理データを受信して、該管理データと、該管理データを受信した時刻とを、コンピュータ（一般には、廃棄物処理施設内の管理部署のコンピュータおよび／または輸送業者の配送センターのコンピュータ等のコンピュータ）および／または携帯電話（一般には、顧客の担当者の携帯電話等の携帯電話）に送信する引渡し情報送信手段とを有する（４）に記載の廃棄物管理システム。
（６）  前記引渡し情報送信手段は、受信した前記管理データと、該管理データが受信された時刻とを、輸送業者の車に設けられた通信設備を用いて前記コンピュータ（一般には、廃棄物処理施設内の管理部署のコンピュータおよび／または輸送業者の配送センターのコンピュータ等のコンピュータ）および／または前記携帯電話（一般には、顧客の担当者の携帯電話等の携帯電話）に送信する手段である、（５）に記載の廃棄物管理システム。
（７）  前記撮影手段が、テレビカメラである、（１）〜（６）のいずれかに記載の廃棄物管理システム。
（８）  前記管理データには、前記廃棄物収納容器に収納された廃棄物の処理を依頼した顧客名と、前記各送信手段によって受信された前記各管理データと該各管理データが受信された前記時刻と前記撮影手段によって撮影された映像とが送信される、送信先のメールアドレスとが含まれる（３）〜（７）のいずれかに記載の廃棄物管理システム。
（９）  前記各コンピュータは、廃棄物処理施設内の管理部署のコンピュータであり、該コンピュータが受信した前記各管理データと、該各管理データが受信された前記時刻と、前記撮影手段によって撮影された映像とを、処理業者の本社管理部署のコンピュータと、前記廃棄物収納容器に収納された廃棄物の処理を依頼した顧客のコンピュータおよび／または携帯電話と、該顧客の担当者のコンピュータおよび／または携帯電話とに、それぞれ自動転送する転送手段とを有する（３）〜（８）のいずれかに記載の廃棄物管理システム。
（１０）  前記廃棄物処理施設がセメント工場であり、前記廃棄物処理装置がセメントキルンである、（１）〜（９）のいずれかに記載の廃棄物管理システム。
（１１）  廃棄物が収納された廃棄物収納容器に装着されたＩＣタグであって、該収納容器に収納された廃棄物に関する管理データを有するＩＣタグから送信された該管理データを、廃棄物処理装置を備える廃棄物処理施設内に設置されたリーダライタが受信して該管理データを送信するステップと、制御手段が、前記リーダライタから送信された前記管理データを受信すると、前記ＩＣタグが装着された前記廃棄物収納容器に対する撮影を開始することを指示する撮影開始指示信号を出力するステップと、撮影手段が、前記制御手段から、前記撮影開始指示信号を受信して、前記ＩＣタグが装着された前記廃棄物収納容器に対する撮影を開始し、前記ＩＣタグが装着された前記廃棄物収納容器が前記廃棄物処理装置に投入される様子を撮影して、該撮影した映像を出力するステップと、該撮影手段から、該撮影手段が撮影した映像を受信し、該映像をコンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）へ送信する映像送信ステップとを含む廃棄物管理方法。
（１２）  前記リーダライタは、前記廃棄物処理装置の近傍に設置されている、（１１）に記載の廃棄物管理方法。
（１３）  前記リーダライタから前記管理データを受信し、該管理データと、該管理データを受信した時刻とを、前記コンピュータおよび／または前記携帯電話へ送信する映像管理情報送信ステップを含む（１１）または（１２）に記載の廃棄物管理方法。
（１４）  搬入情報用リーダライタが、前記廃棄物収納容器が廃棄物処理装置を備える廃棄物処理施設内に搬入された時に、前記ＩＣタグから送信された前記管理データを受信して該管理データを送信するステップと、搬入情報送信手段が、該搬入情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する搬入情報送信ステップと、受付情報用リーダライタが、搬入された前記廃棄物収納容器が、前記廃棄物処理施設内で受け付けられた時に、前記ＩＣタグから送信された前記管理データを受信して該管理データを送信するステップと、受付情報送信手段が、該受付情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する受付情報送信ステップと、保管情報用リーダライタが、受け付けられた前記廃棄物収納容器が前記廃棄物処理施設内の保管場所に保管された時に、前記ＩＣタグから送信された前記管理データを受信して該管理データを送信するステップと、保管情報送信手段が、該保管情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する保管情報送信ステップと、移動情報用リーダライタが、保管された前記廃棄物収納容器を前記廃棄物処理装置の近傍に移動した時に、前記ＩＣタグから送信された前記管理データを受信して該管理データを送信するステップと、移動情報送信手段が、該移動情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する移動情報送信ステップと、投入情報用リーダライタが、移動された前記廃棄物収納容器を前記処理装置に投入する時に、前記ＩＣタグから送信された前記管理データを受信して該管理データを送信するステップと、投入情報送信手段が、該投入情報用リーダライタから該管理データを受信して、該管理データと、該管理データを受信した時刻とを、コンピュータ（一般には、廃棄物処理施設内の管理部署のコンピュータおよび／または顧客のコンピュータ等のコンピュータ）および／または携帯電話（一般には、顧客の携帯電話および／または顧客の担当者の携帯電話等の携帯電話）に送信する投入���報送信ステップとを含む（１１）〜（１３）のいずれかに記載の廃棄物管理方法。
（１５）  輸送業者引渡し情報用リーダライタが、廃棄物が収納され前記ＩＣタグが装着された廃棄物収納容器が、輸送業者に引き渡された時に、前記ＩＣタグから送信された前記管理データを受信して該管理データを送信するステップと、引渡し情報送信手段が、該輸送業者引渡し情報用リーダライタから該管理データを受信して、該管理データと、該管理データを受信した時刻とを、コンピュータ（一般には、廃棄物処理施設内の管理部署のコンピュータおよび／または輸送業者の配送センターのコンピュータ等のコンピュータ）および／または携帯電話（一般には、顧客の担当者の携帯電話等の携帯電話）に送信する引渡し情報送信ステップとを含む（１４）に記載の廃棄物管理方法。
（１６）  前記引渡し情報送信ステップは、受信した前記管理データと、該管理データが受信された時刻とを、輸送業者の車に設けられた通信設備を用いて前記コンピュータ（一般には、廃棄物処理施設内の管理部署のコンピュータおよび／または輸送業者の配送センターのコンピュータ等のコンピュータ）および／または前記携帯電話（一般には、顧客の担当者の携帯電話等の携帯電話）に送信するステップである、（１５）に記載の廃棄物管理方法。
（１７）  前記撮影手段が、テレビカメラである、（１１）〜（１６）のいずれかに記載の廃棄物管理方法。
（１８）  前記管理データには、前記廃棄物収納容器に収納された廃棄物の処理を依頼した顧客名と、前記各送信手段によって受信された前記各管理データと該各管理データが受信された前記時刻と前記撮影手段によって撮影された映像とが送信される、送信先のメールアドレスとが含まれる（１３）〜（１７）のいずれかに記載の廃棄物管理方法。
（１９）  前記各コンピュータは、廃棄物処理施設内の管理部署のコンピュータであり、該コンピュータが受信した前記各管理データと、該各管理データが受信された前記時刻と、前記撮影手段によって撮影された映像とを、処理業者の本社管理部署のコンピュータと、前記廃棄物収納容器に収納された廃棄物の処理を依頼した顧客のコンピュータおよび／または携帯電話と、該顧客の担当者のコンピュータおよび／または携帯電話とに、転送手段が、それぞれ自動転送する転送ステップとを有する（１３）〜（１８）のいずれかに記載の廃棄物管理方法。
（２０）  前記廃棄物処理施設がセメント工場であり、前記廃棄物処理装置がセメントキルンである、（１１）〜（１９）のいずれかに記載の廃棄物管理方法。
【発明の効果】
【０００９】
本発明の効果としては、以下のような利点が挙げられる。まず、（１）廃棄物が廃棄物処置装置に投入されるという最終的な処理状況が画像データとして送信されるため、顧客は、廃棄物の処分が確実に行われたことを自ら確認できる。また、（２）顧客（廃棄物の排出事業者）は、ＩＣタグ装着廃棄物収納容器に廃棄物を収納して、輸送業者に引き渡した後、該廃棄物の処理状況を、顧客自身のパソコンまたは携帯電話でリアルタイムで確認することが可能となる。さらに、（３）処理業者は、廃棄物が収納されたＩＣタグ装着廃棄物収納容器を処理業者の廃棄物処理施設内に受入れた後の該廃棄物の処理状況の追跡をリアルタイムで行うことが可能となり、廃棄物処理施設の稼働率の管理、処分待ち在庫の管理等が容易になる。また、（４）処理業者は、人手を介さずに処理状況を顧客に送信できるので、人的、時間的、及びコスト的に極めて有利である。さらに、（５）処理業者は上記（１）及び（２）によって、顧客へ合法処分のエピデンスと安心感を与えることができる。
【発明を実施するための最良の形態】
【００１０】
以下、本発明の実施の形態について、図面を用いて詳細に説明する。図１に本発明の一実施形態である廃棄物管理システムの構成図を示す。本システム１０は、廃棄物が収納された廃棄物収納容器に装着されたＩＣタグ１と、リーダライタ２と、制御部（制御手段）３と、撮影部（撮影手段）４と、送信部５を有している。
【００１１】
送信部５は、映像送信手段と、映像管理情報送信手段と、搬入情報送信手段と、受付情報送信手段と、保管情報送信手段と、移動情報送信手段と、投入情報送信手段とを備えている。また、本実施形態においては、引渡し情報送信部（引渡し情報送信手段）６は輸送業者の車に設置されている。本実施形態においては、制御部（制御手段）３と、送信部５とは、同一のコンピュータ内に格納されている。本実施形態では、撮影部（撮影手段）４は、テレビカメラである。
【００１２】
ＩＣタグ１には、ＩＣタグが装着された廃棄物収納容器に収納された廃棄物に関する管理データが書き込まれている。リーダライタ２は、ＩＣタグ１から送信された管理データを受信して、瞬時に、制御部（制御手段）３と送信部５とに、受信した管理データを送信するものである。
【００１３】
制御部（制御手段）３は、リーダライタ２から管理データを受信すると、瞬時に、少なくともＩＣタグ装着廃棄物収納容器が、廃棄物処理装置に投入される前に、撮影部（撮影手段）４に対して、撮影開始指示信号を出力するものである。
【００１４】
撮影部（撮影手段）４は、制御部（制御手段）３から、撮影開始指示信号を受信して、ＩＣタグが装着された前記廃棄物収納容器に対する撮影を開始し、ＩＣタグが装着された前記廃棄物収納容器が前記廃棄物処理装置に投入される様子を撮影するものである。
【００１５】
本実施形態では、輸送業者引渡し用リーダライタはハンディ型であり、また、図１には示されていないが、ＩＣタグ装着廃棄物収納容器を、廃棄物処理施設内に搬入する段階、施設内で受け付ける段階、保管する段階、移動する段階、廃棄物処理装置に投入する段階、撮影する段階のそれぞれの段階において、各段階での各情報用リーダライタは、それぞれ、廃棄物の管理上および運搬上適した位置に配置されて、ＩＣタグ１から送信される管理データを受信する。
【００１６】
次に、本システム１０を用いて本発明にかかる廃棄物管理方法の一実施形態について説明する。図２は本発明の一実施形態である廃棄物管理方法の概念図である。
【００１７】
［準備段階］
処理業者は、輸送業者を介して廃棄物収納容器を顧客に配送する。この廃棄物収納容器には、ＩＣタグ１が装着されており、容器は折りたたんだ状態で配送される。このＩＣタグ１には、予め、顧客の名称、住所、担当者名、メールアドレス等、基本的な顧客情報が、管理データとして記録されている。顧客は、配送されたＩＣタグ装着廃棄物収納容器を所定の場所に保管しておく。顧客は、廃棄物処理の必要性が生じたら、廃棄物をＩＣタグ装着廃棄物収納容器に収納し、該ＩＣタグ１に、廃棄物の種類名、数量、収納日等必要事項を、管理データとして顧客に与えられたリーダライタを用いて記録する。
【００１８】
このように、廃棄物の識別体としてＩＣタグを用いると、最大情報量が数１０桁のバーコードと比して数１０００桁の情報量を蓄えることができるので、極めて有利である。また、バーコードでは障害物があったり移動中では情報を読み取ることができないが、ＩＣタグを用いることによって障害物があってもまたは移動中であっても情報の送受信ができるので効率的である。更に、複数のＩＣタグの情報を同時に読み取ることができるので、車両での搬入時や保管場所等で個別にデータを読み取る必要がなく極めて効率的である。
【００１９】
［輸送業者への引渡し段階］
廃棄物が収納されたＩＣタグ装着廃棄物収納容器が、輸送業者に引き渡された時に、ＩＣタグ１から送信された管理データが、輸送業者が所持するハンディ型リーダライタ（輸送業者引渡し情報用リーダライタ）２１によって受信される。受信された管理データは、この輸送業者引渡し情報用リーダライタ２１から、引渡し情報送信部（引渡し情報送信手段）６に送信される。引渡し情報送信手段６によって、受信された管理データと、この管理データが受信された時刻は、輸送業者の配送センターのコンピュータ３１や処理業者の本社管理部署のコンピュータ３２、廃棄物処理施設内の管理部署のコンピュータ３３等に、輸送業者への引渡しが行われたことを示す情報として、送信される。本実施形態では、引渡し情報送信手段６は、輸送業者の車に設置された通信設備を用いてこの送信を行う。
【００２０】
［廃棄物処理施設内への搬入段階］
廃棄物が収納されたＩＣタグ装着廃棄物収納容器が、廃棄物処理施設内に搬入された時に、ＩＣタグ１から送信された管理データが、廃棄物処置施設の入り口に設置されたリーダライタ（搬入情報用リーダライタ）２２によって受信される。受信された管理データは、この搬入情報用リーダライタ２２から、送信部（搬入情報送信手段）５に送信される。搬入情報送信手段によって、受信された管理データと、この管理データが受信された時刻は、廃棄物処理施設内の管理部署のコンピュータ３３等に、廃棄物処理施設内への廃棄物の搬入が行われたことを示す情報として、送信される。
【００２１】
［廃棄物処理施設内での受付段階］
廃棄物が収納されたＩＣタグ装着廃棄物収納容器が、処理業者の廃棄物処理施設内に設置された指定のリーダライタ（受付情報用リーダライタ）２３の傍を通過した時に、ＩＣタグ１から送信された管理データが、この受付情報用リーダライタ２３によって受信される。受信された管理データは、この受付情報用リーダライタ２３から、送信部（受付情報送信手段）５に送信される。受付情報送信手段によって、受信された管理データと、この管理データが受信された時刻は、廃棄物処理施設内の管理部署のコンピュータ３３へ廃棄物が収納されたＩＣタグ装着廃棄物収納容器が廃棄物処理施設内で受付られたことを示す情報として、送信される。これらの情報は、廃棄物処理施設内の管理部署のコンピュータ３３から、処理業者の本社管理部署のコンピュータ３２、顧客のコンピュータ３４、顧客の担当者のコンピュータ３５または携帯電話等へ転送される。
【００２２】
更に、廃棄物処理施設内の管理部署のコンピュータ３３は、保管場所指示手段を備えており、この保管場所指示手段は、受付情報用リーダライタ２３から受け取った情報を基にＩＣタグ装着廃棄物収納容器の保管場所を、受付情報用リーダライタ２３を介してＩＣタグ１に書き込むことによって、該輸送業者へ指示し、輸送業者は指示された保管場所へＩＣタグ装着廃棄物収納容器を運ぶ。
【００２３】
［廃棄物処理施設内での保管段階］
廃棄物が収納されたＩＣタグ装着廃棄物収納容器が、指定された保管場所に設置されたリーダライタ（保管情報用リーダライタ）２４の傍を通過した時に、ＩＣタグ１から送信された管理データが、このリーダライタによって受信される。受信された管理データは、この保管情報用リーダライタ２４から、送信部（保管情報送信手段）５に送信される。保管情報送信手段によって、受信された管理データと、管理データが受信された時刻は、廃棄物処理施設内の管理部署のコンピュータ３３等へ、廃棄物が収納されたＩＣタグ装着廃棄物収納容器が保管されたことを示す情報として、送信される。
【００２４】
［廃棄物処理装置への移動段階］
処理業者は、廃棄物処理施設の管理スケジュールに従い、廃棄物が収納されたＩＣタグ装着廃棄物収納容器を廃棄物処理施設内の廃棄物処理装置の傍へ移動する。ＩＣタグ装着廃棄物収納容器が、廃棄物処理装置の近くに設置されたリーダライタ（移動情報用リーダライタ）２５の傍を通過した時に、ＩＣタグから送信された管理データが、この移動情報用リーダライタによって受信される。受信された管理データは、この移動情報用リーダライタから、送信部（移動情報送信手段）５に送信される。移動情報送信手段によって、受信された管理データと、管理データが受信された時刻は、廃棄物処理施設内の管理部署のコンピュータ３３等へ、廃棄物が収納されたＩＣタグ装着廃棄物収納容器が廃棄物処理装置４０の傍へ移動したことを示す情報として、送信される。
【００２５】
これらの情報は、廃棄物処理施設内の管理部署のコンピュータ３３から、処理業者の本社管理部署のコンピュータ３２、顧客のコンピュータ３４、顧客の担当者のコンピュータ３５または携帯電話等へ転送される。
【００２６】
［廃棄物処理装置への廃棄物投入段階］
処理業者が廃棄物処理装置４０の投入口４１に続く輸送装置４２に廃棄物が収納されたＩＣタグ装着廃棄物収納容器をセットする。ＩＣタグ装着廃棄物収納容器が、廃棄物処理装置４０の投入口４１に続く輸送装置４２の傍に設置されたリーダライタ２の傍を通過した時に、ＩＣタグから送信された管理データが、このリーダライタ２によって受信される。本実施形態では、リーダライタ２は投入情報用リーダライタとしても機能する。受信された管理データは、このリーダライタ２から、送信部（投入情報送信手段）５に送信される。なお、本実施形態では、投入情報送信手段は、映像管理情報送信手段としても機能する。投入情報送信手段によって、受信された管理データと、管理データが受信された時刻は、廃棄物処理施設内の管理部署のコンピュータ３３等へ、ＩＣタグ装着廃棄物収納容器が、廃棄物処理装置４０の投入口４１に続く輸送装置４２にセットされたことを示す情報として、送信される。また、この情報は、以下に述べる、撮影手段よる撮影の対象となった廃棄物に対する管理データを含むものでもあり、個々の映像データの管理情報としても用いられる。
【００２７】
これらの情報は、廃棄物処理施設内の管理部署のコンピュータ３３から、処理業者の本社管理部署のコンピュータ３２、顧客のコンピュータ３４、顧客の担当者のコンピュータ３５または携帯電話等へ転送される。
【００２８】
更に、該処理装置４０の投入口４１に続く輸送装置４２の傍に設置されたリーダライタ２がＩＣタグ１から管理データを受信すると、制御手段３は、処理装置投入口４１を映し出すことが可能な位置に設置されているテレビカメラ（撮影手段）４を、撮影開始指示信号をテレビカメラ（撮影手段）４に出力することによって、起動する。
【００２９】
テレビカメラ（撮影手段）４は、ＩＣタグ装着廃棄物収納容器が輸送装置４２によって移動し、廃棄物処理装置４０の投入口４１から処理装置内へ投入される様子を撮影録画する。テレビカメラ（撮影手段）４は、撮影を開始してから一定時間経過後に撮影を終了する。この一定時間は、撮影開始時点から、ＩＣタグ装着廃棄物収納容器が廃棄物処理装置４０の投入口４１から処理装置内へ投入されるまでの時間である。本実施形態では、ＩＣタグ装着廃棄物収納容器が廃棄物処理装置４０の投入口４１から処理装置内へ投入される様子が確実に撮影されるように、この一定時間は予め計算され決定されている。
【００３０】
撮影された映像には、ＩＣタグ装着廃棄物収納容器が輸送装置４２によって移動し、廃棄物処理装置４０の投入口４１から処理装置内へ投入されるまでの様子が記録されており、少なくとも、ＩＣタグ装着廃棄物収納容器が廃棄物処理装置４０の投入口４１に投入される様子が画像として記録されている。この映像を、送信部（映像送信手段）５が、廃棄物処理施設内の管理部署のコンピュータ３３に送信し、廃棄物処理施設内の管理部署のコンピュータ３３に備えられた転送手段が、処理業者の本社管理部署のコンピュータ３２、顧客のコンピュータ３４、顧客の担当者のコンピュータ３５または携帯電話等へ転送する。
【００３１】
本実施形態では、廃棄物処理施設は、セメント工場であり、廃棄物処理装置４０はセメントキルンであり、上記輸送装置４２はベルトコンベヤである。処理装置としてセメントキルンを使用すれば、１４５０℃で焼却されるので、フロピィディスク等の電子記録媒体等も確実に焼却することができる。さらに、セメントキルンを使用すれば、廃タイヤ等はセメント焼成の補助燃料として活用でき、廃棄物中の金属類等はセメントの成分として製品中に封じ込まれる。また、塩素含有物を含んでいても、１４５０℃で焼却するため、ダイオキシン等の発生の心配もない。
【００３２】
本発明では、廃棄物を排出した顧客は、廃棄物が輸送業者に引き取られた後の廃棄物の輸送状況、処理業者への搬入状況、処理業者の廃棄物処理施設内での保管状況、処理装置への投入による処理の状況等をリアルタイムで確認することができる。更に、処理装置への廃棄物が投入される状況を、画像データによって確実に確認することができるため、合法処分のエピデンスと安心感を与えることができる。
【００３３】
一方、処理業者は、処理業者の本社管理部署において、個々の廃棄物の、顧客先から廃棄物処理施設への輸送、該廃棄物処理施設への搬入・受付、該処理施設内での保管・処理装置への移動、処理装置への投入迄を、各工程において個々の廃棄物に関するデータを確認することができる。したがって、個々の廃棄物に対して、一貫して追跡管理することが可能となり、また、在庫管理等も容易に行うことが可能となる。さらに、生産計画ならぬ処理計画を組むことも可能になる。
【００３４】
さらに、本発明では、顧客がＩＣタグ装着廃棄物処理容器へ廃棄物を収納し顧客自らが封印するものであり、この封印した状態で該ＩＣタグ装着廃棄物処理容器は処理業者の処理装置へ投入・焼却される。この封印から投入・焼却迄の間、廃棄物と一緒に焼却される廃棄物処理容器に装着されたＩＣタグによって管理されているので、本発明の廃棄物管理システムおよび方法は顧客及び処理業者にとっては非常に信頼性の高いものとなっている。
【００３５】
また、産業廃棄物、特に、個人情報保護法や不正競争防止法等の観点から、官公庁の個人情報、企業の人事管理情報、企業の営業秘密情報、政府機関等の機密文書等特に漏洩が怖い書類等の処分においても、顧客が自らの視覚によって最終処分の状況を画像データで確認でき、また処分業者も最終処分の状況を画像データで保存することができることから、コンプライアンス対策及びセキュリティ対策上極めて有効な手段である。
【００３６】
［他の実施形態］
さらに、他の実施形態として、制御部（制御手段）３と送信部５とは、同一のコンピュータに格納されない、個別の装置であってもよい。また、本発明において用いられるリーダライタは、上記各段階において、労力を削減するためにも設置式のものが好ましいが、それに限定されない。例えば、設置が困難な場合には、ハンディ式のリーダライタを用いることもできる。
【００３７】
また、引渡し情報送信手段は、前記管理データと、該管理データが受信された時刻とを、コンピュータおよび／または携帯電話に送信する際に輸送業者の車に設けられた通信設備を用いなくてもよく、別個の携帯可能な送信装置によって実現されるものであってもよい。
【００３８】
また、顧客が希望する場合には、上記各管理データと、各管理データが受信された時刻と、撮影された映像とを、顧客の携帯電話３６に転送してもよい。
【００３９】
本発明において用いられる廃棄物収納容器は、顧客自ら組立て可能なＢＯＸ仕様とすることができる。必要な時に必要な分だけ組み立てて使用することが可能となり、顧客にとっては廃棄物収納容器の保管スペースを最小限にすることが可能となる。
【００４０】
また、本発明において用いられる廃棄物収納容器は、特に材質に限定されるものではないが、耐水性の材質、または表面に耐水性シート等を貼付したもの、あるいは耐水性樹脂をコーティングしたものが好ましい。
【００４１】
さらに、本発明において用いられる廃棄物収納容器は、その開閉部分を顧客自らが封印シールで貼付することが好ましい。この際に用いられる封印シールは、位相差の相違により変色する封印シールを用いることが好ましい。該シールとしては、例えば、引き伸ばしにより位相差が相違する透明フィルムの片面に反射層を兼ねるやや強い粘着層と、該粘着層に接する他方のフィルムで被封印物に接する側により強い粘着層をもつフィルムとから構成される封印シールで、該封印シールを該封印物から引き剥がそうとした際、上層の反射層を有する透明フィルムが引き伸ばされ、該上層の透明フィルムのみが剥がされ、該フィルムを構成するポリマーが分子配向するなどして位相差が変化し、その反射光の位相差部分が他の部分とは異なった変色部分として視覚的に感知できる封印シール、が例示される。該シールを用いれば、封印時から廃棄物処理装置の投入時までの間に、該封印済み廃棄物処理容器が開封されたか否かが、廃棄物処理装置への投入時に映し出される映像によって、映像中の該シールが変色しているかどうかによって顧客自ら視覚的に開封の有無を判断することができ、より安心感を得ることができるものである。
【００４２】
さらに、本発明で用いられるテレビカメラ（撮影手段）４は、前記封印シールを撮影するため、輸送装置４２の川上から投入口４１を映し出す方向で、やや上方より下方に向かう視点で撮影が可能であるように固定して配置されてよい。
【００４３】
本発明において用いられるＩＣタグは、通信距離と確実性を担保するために、従来の１３５ＫＨｚ、１３．５６ＭＨｚ、及び２．４５ＧＨｚ帯よりも比較的長距離の通信が可能な９５０ＭＨｚ帯のパッシブタブを用いるのが好ましい。
【００４４】
本発明によって管理される廃棄物は、特に限定されるものではないが、各種産業の事業所から排出された産業廃棄物が中心であり、一般に、燃え殻、汚泥、廃油、廃酸、廃アルカリ、廃プラスチック、紙屑、木屑、繊維屑、ゴム屑、金属屑、ガラス片、鉱滓、がれき類、家畜糞尿、家畜の死体、煤塵等の産業廃棄物があげられる。更に、従業員名簿等の従業員情報、顧客名簿等の顧客情報等の個人情報、地域住民に関する個人情報、学生名簿等の個人情報、個別の売上伝票等の売買記録情報、共同研究開発契約書等の契約書等極めて秘密性の高い書類等があげられる。また、紙、紙屑、焼却灰、汚泥、廃油、廃プラスチック、ＣＤやＦＤ等の情報媒体、木屑、繊維屑、ゴム屑、タイヤ、廃パチンコ台、建設発生土、可燃性廃棄物、医療廃棄物、食品廃棄物等も挙げることができる。また、廃棄物の排出者である顧客についても、特に限定されるものではないが、官庁、自治体、病院、学校、大学、保険・金融機関等が挙げられる。
【００４５】
また、上記廃棄物処理施設は、セメント工場以外の処理施設でもよく、上記廃棄物処理装置は、セメントキルン以外の処理装置でもよい。また、  処理業者の廃棄物処理施設内と処理業者の本社内の両方にコンピュータを設置して管理する必要がない場合は、処理施設内と本社内のいずれかで良い。
【００４６】
また、前記廃棄物処理装置に、ＩＣタグ装着廃棄物処理容器が投入されることによって、リーダライタ２を介したＩＣタグ１からの送信が途絶えると、制御手段３が撮影手段４の撮影を終了させる撮影終了指示信号を撮影手段４に出力し、撮影手段４がそれを受信して撮影を終了してもよい。この場合、ＩＣタグ１からの送信が途絶える原因は、前記廃棄物処理装置にＩＣタグからの送信を阻まれるからであってもよく、前記廃棄物処理装置の中でＩＣタグが破壊されるからであってもよい。
【００４７】
また、前述の輸送業者引渡し段階における、輸送業者引渡し情報用リーダライタおよび／または引渡し情報送信手段は、各顧客（各排出事業者）が有するものであってもよい。また、前述の輸送業者引渡し段階における、ＩＣタグと輸送業者引渡し情報用リーダライタと引渡し情報送信手段とを用いた廃棄物管理工程は省略されてもよい。さらに、この場合、輸送業者引渡し段階において、顧客が、顧客が有するリーダライタを用いて、輸送業者にＩＣタグ装着廃棄物収納容器を引き渡したことを示す情報を、該ＩＣタグにインプットしてもよい。
【００４８】
また、本発明において、各送信手段および転送手段は、各コンピュータおよび／または各携帯電話への、前記各管理データと該各管理データが受信された前記時刻と前記撮影手段によって撮影された映像との送信を、電子メールシステムを用いて実現するものであってもよい。なお、電子メールシステムはＬＡＮ等のクローズのネットワークで行われるものでも、インターネット等のオープンのネットワークで行われるものでもよい。
【図面の簡単な説明】
【００４９】
【図１】本発明の一実施形態である廃棄物管理システムの構成を示す構成図である。
【図２】本発明の一実施形態である廃棄物管理方法の概念図である。
【符号の説明】
【００５０】
１  ＩＣタグ
２  リーダライタ
３  制御部（制御手段）
４  撮影部（撮影手段）
５  送信部
６  引渡し情報送信部（引渡し情報送信手段）
１０  本システム
２１  輸送業者引渡し情報用リーダライタ
２２  搬入情報用リーダライタ
２３  受付情報用リーダライタ
２４  保管情報用リーダライタ
２５  移動情報用リーダライタ
３１  配送センターのコンピュータ
３２  処理業者の本社管理部署のコンピュータ
３３  廃棄物処理施設内の管理部署のコンピュータ
３４  顧客のコンピュータ
３５  担当者のコンピュータ
３６  顧客の携帯電話
４０  廃棄物処理装置
４１  投入口
４２  輸送装置
【図１】
2006344120.tif 000003
【図２】
2006344120.tif 000004